【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
第１のワイヤレスデバイスと第２のワイヤレスデバイスとの間の測距演算を行う方法であって、前記方法は、前記第１のワイヤレスデバイスの１つまたは複数のプロセッサによって行われ、
前記第２のワイヤレスデバイスに対する、それの実際のショートフレーム間スペース（ＳＩＦＳ）持続時間を前記第１のワイヤレスデバイスに報告するようにとの要求を含むデータフレームを前記第２のワイヤレスデバイスに送ることと、
前記データフレームの出発時間（ＴＯＤ）を決定することと、
前記第２のワイヤレスデバイスから、前記第２のワイヤレスデバイスの前記実際のＳＩＦＳ持続時間を示すＳＩＦＳ情報を含む応答フレームを受信することと、
前記応答フレームの到着時間（ＴＯＡ）を決定することと、
前記データフレームの前記ＴＯＤと前記応答フレームの前記ＴＯＡと前記第２のワイヤレスデバイスの前記実際のＳＩＦＳ持続時間とを使用して、前記データフレームと前記応答フレームとのラウンドトリップ時間（ＲＴＴ）を決定することと
を備える、方法。
【請求項２】
前記実際のＳＩＦＳ持続時間は、（１）前記第２のワイヤレスデバイスが前記第１のワイヤレスデバイスから前記データフレームの最後のシンボルの終端を受信する時間と、（２）前記第２のワイヤレスデバイスが前記第１のワイヤレスデバイスに前記応答フレームの第１のシンボルの始端を送信する時間との間の持続時間を示す、請求項１に記載の方法。
【請求項３】
前記データフレームがファインタイミング測定（ＦＴＭ）フレームを備える、請求項１に記載の方法。
【請求項４】
前記データフレームは、前記第２のワイヤレスデバイスに対する、高スループット／超高スループット（ＨＴ／ＶＨＴ）プロトコルを使用して前記応答フレームを送信するようにとの要求をさらに備える、請求項１に記載の方法。
【請求項５】
前記応答フレームが、前記ＳＩＦＳ情報を記憶するためのフィールドを含む確認応答（ＡＣＫ）フレームを備える、請求項１に記載の方法。
【請求項６】
前記ＳＩＦＳ情報が、前記実際のＳＩＦＳ持続時間と標準ＳＩＦＳ持続時間との間の時間差を示す差分値を備え、ここにおいて、前記応答フレームが、前記差分値を記憶するための第１のフィールドを含み、かつ前記第２のワイヤレスデバイスの中央ＳＩＦＳ持続時間を記憶するための第２のフィールドを含む、確認応答（ＡＣＫ）フレームを備える、請求項１に記載の方法。
【請求項７】
前記標準ＳＩＦＳ持続時間がＩＥＥＥ８０２．１１規格によって定義される、請求項６に記載の方法。
【請求項８】
前記第１のワイヤレスデバイスが、前記第２のワイヤレスデバイスに前記データフレームを送るために単一の送信チェーンを使用すべきであり、
前記データフレームは、前記第２のワイヤレスデバイスに対する、前記第１のワイヤレスデバイスに前記応答フレームを送信するために単一の送信チェーンを使用するようにとの要求をさらに備える、請求項１に記載の方法。
【請求項９】
第２のワイヤレスデバイスとの測距演算を行うように構成された第１のワイヤレスデバイスであって、前記第１のワイヤレスデバイスは、
前記第２のワイヤレスデバイスに対する、それの実際のショートフレーム間スペース（ＳＩＦＳ）持続時間を前記第１のワイヤレスデバイスに報告するようにとの要求を含むデータフレームを前記第２のワイヤレスデバイスに送るための手段と、
前記データフレームの出発時間（ＴＯＤ）を決定するための手段と、
前記第２のワイヤレスデバイスから、前記第２のワイヤレスデバイスの前記実際のＳＩＦＳ持続時間を示すＳＩＦＳ情報を含む応答フレームを受信するための手段と、
前記応答フレームの到着時間（ＴＯＡ）を決定するための手段と、
前記データフレームの前記ＴＯＤと前記応答フレームの前記ＴＯＡと前記第２のワイヤレスデバイスの前記実際のＳＩＦＳ持続時間とを使用して、前記データフレームと前記応答フレームとのラウンドトリップ時間（ＲＴＴ）を決定するための手段と
を備える、第１のワイヤレスデバイス。
【請求項１０】
前記データフレームがファインタイミング測定（ＦＴＭ）フレームを備える、請求項９に記載の第１のワイヤレスデバイス。
【請求項１１】
前記応答フレームが、前記ＳＩＦＳ情報を記憶するためのフィールドを含む確認応答（ＡＣＫ）フレームを備える、請求項９に記載の第１のワイヤレスデバイス。
【請求項１２】
前記ＳＩＦＳ情報が、前記実際のＳＩＦＳ持続時間と標準ＳＩＦＳ持続時間との間の時間差を示す差分値を備える、請求項９に記載の第１のワイヤレスデバイス。
【請求項１３】
前記応答フレームが、前記差分値を記憶するための第１のフィールドを含み、かつ前記第２のワイヤレスデバイスの中央ＳＩＦＳ持続時間を記憶するための第２のフィールドを含む、確認応答（ＡＣＫ）フレームを備える、請求項１２に記載の第１のワイヤレスデバイス。
【請求項１４】
前記応答フレームが、前記ＳＩＦＳ情報を記憶するための少なくともフィールドを含む情報要素（ＩＥ）を含む、請求項９に記載の第１のワイヤレスデバイス。
【請求項１５】
コンピュータ上で実行されたとき、請求項１〜請求項８のうちのいずれか一項に記載の方法を実行するための命令を備える、コンピュータプログラム。
【手続補正２】
【補正対象書類名】明細書
【補正対象項目名】００８６
【補正方法】変更
【補正の内容】
【００８６】
[0096]  上記の明細書では、例示的な実施形態について、それの特定の例示的な実施形態を参照しながら説明した。しかしながら、添付の特許請求の範囲に記載された本開示のより広い範囲から逸脱することなく、様々な改変および変更がそれに行われ得ることは明らかであろう。従って、本明細書および図面は、限定的な意味ではなく例示的な意味で考慮されるべきである。例えば、図５のフローチャートに示された方法ステップは他の好適な順序で実行され得、および／または１つまたは複数の方法ステップは省略され得る。
以下に本願の出願当初の特許請求の範囲に記載された発明を付記する。
[Ｃ１]  第１のワイヤレスデバイスと第２のワイヤレスデバイスとの間の測距演算を行う方法であって、前記方法は、前記第１のワイヤレスデバイスの１つまたは複数のプロセッサによって行われ、
前記第２のワイヤレスデバイスに対する、それの実際のショートフレーム間スペース（ＳＩＦＳ）持続時間を前記第１のワイヤレスデバイスに報告するようにとの要求を含むデータフレームを前記第２のワイヤレスデバイスに送ることと、
前記データフレームの出発時間（ＴＯＤ）を決定することと、
前記第２のワイヤレスデバイスから、前記第２のワイヤレスデバイスの前記実際のＳＩＦＳ持続時間を示すＳＩＦＳ情報を含む応答フレームを受信することと、
前記応答フレームの到着時間（ＴＯＡ）を決定することと、
前記データフレームの前記ＴＯＤと前記応答フレームの前記ＴＯＡと前記第２のワイヤレスデバイスの前記実際のＳＩＦＳ持続時間とを使用して、前記データフレームと前記応答フレームとのラウンドトリップ時間（ＲＴＴ）を決定することとを備える、方法。
[Ｃ２]  前記実際のＳＩＦＳ持続時間は、（１）前記第２のワイヤレスデバイスが前記第１のワイヤレスデバイスから前記データフレームの最後のシンボルの終端を受信する時間と、（２）前記第２のワイヤレスデバイスが前記第１のワイヤレスデバイスに前記応答フレームの第１のシンボルの始端を送信する時間との間の持続時間を示す、Ｃ１に記載の方法。
[Ｃ３]  前記データフレームがファインタイミング測定（ＦＴＭ）フレームを備える、Ｃ１に記載の方法。
[Ｃ４]  前記データフレームは、前記第２のワイヤレスデバイスに対する、高スループット／超高スループット（ＨＴ／ＶＨＴ）プロトコルを使用して前記応答フレームを送信するようにとの要求をさらに備える、Ｃ１に記載の方法。
[Ｃ５]  前記応答フレームが、前記ＳＩＦＳ情報を記憶するためのフィールドを含む確認応答（ＡＣＫ）フレームを備える、Ｃ１に記載の方法。
[Ｃ６]  前記ＳＩＦＳ情報が、前記実際のＳＩＦＳ持続時間と標準ＳＩＦＳ持続時間との間の時間差を示す差分値を備える、Ｃ１に記載の方法。
[Ｃ７]  前記標準ＳＩＦＳ持続時間がＩＥＥＥ８０２．１１規格によって定義される、Ｃ６に記載の方法。
[Ｃ８]  前記応答フレームが、前記差分値を記憶するための第１のフィールドを含み、前記第２のワイヤレスデバイスの中央ＳＩＦＳ持続時間を記憶するための第２のフィールドを含む、確認応答（ＡＣＫ）フレームを備える、Ｃ６に記載の方法。
[Ｃ９]  前記応答フレームが、前記ＳＩＦＳ情報を記憶するための少なくともフィールドを含む情報要素（ＩＥ）を含む、Ｃ１に記載の方法。
[Ｃ１０]  前記第１のワイヤレスデバイスが、前記第２のワイヤレスデバイスに前記データフレームを送るために単一の送信チェーンを使用すべきであり、
前記データフレームは、前記第２のワイヤレスデバイスに対する、前記第１のワイヤレスデバイスに前記応答フレームを送信するために単一の送信チェーンを使用するようにとの要求をさらに備える、Ｃ１に記載の方法。
[Ｃ１１]  第２のワイヤレスデバイスとの測距演算を行うように構成された第１のワイヤレスデバイスであって、前記第１のワイヤレスデバイスは、
少なくとも前記第２のワイヤレスデバイスと信号を交換するための１つまたは複数のトランシーバと、
１つまたは複数のプロセッサと、
前記１つまたは複数のプロセッサによって実行されたとき、前記第１のワイヤレスデバイスに、
前記第２のワイヤレスデバイスに対する、それの実際のショートフレーム間スペース（ＳＩＦＳ）持続時間を前記第１のワイヤレスデバイスに報告するようにとの要求を含むデータフレームを前記第２のワイヤレスデバイスに送ることと、
前記データフレームの出発時間（ＴＯＤ）を決定することと、
前記第２のワイヤレスデバイスから、前記第２のワイヤレスデバイスの前記実際のＳＩＦＳ持続時間を示すＳＩＦＳ情報を含む応答フレームを受信することと、
前記応答フレームの到着時間（ＴＯＡ）を決定することと、
前記データフレームの前記ＴＯＤと前記応答フレームの前記ＴＯＡと前記第２のワイヤレスデバイスの前記実際のＳＩＦＳ持続時間とを使用して、前記データフレームと前記応答フレームとのラウンドトリップ時間（ＲＴＴ）を決定することとを行わせる命令を記憶するメモリとを備える、第１のワイヤレスデバイス。
[Ｃ１２]  前記データフレームがファインタイミング測定（ＦＴＭ）フレームを備える、Ｃ１１に記載の第１のワイヤレスデバイス。
[Ｃ１３]  前記データフレームは、前記第２のワイヤレスデバイスに対する、高スループット／超高スループット（ＨＴ／ＶＨＴ）プロトコルを使用して前記応答フレームを送信するようにとの要求をさらに備える、Ｃ１１に記載の第１のワイヤレスデバイス。
[Ｃ１４]  前記応答フレームが、前記ＳＩＦＳ情報を記憶するためのフィールドを含む確認応答（ＡＣＫ）フレームを備える、Ｃ１１に記載の第１のワイヤレスデバイス。
[Ｃ１５]  前記ＳＩＦＳ情報が、前記実際のＳＩＦＳ持続時間と標準ＳＩＦＳ持続時間との間の時間差を示す差分値を備える、Ｃ１１に記載の第１のワイヤレスデバイス。
[Ｃ１６]  前記標準ＳＩＦＳ持続時間がＩＥＥＥ８０２．１１規格によって定義される、Ｃ１５に記載の第１のワイヤレスデバイス。
[Ｃ１７]  前記応答フレームが、前記差分値を記憶するための第１のフィールドを含み、前記第２のワイヤレスデバイスの中央ＳＩＦＳ持続時間を記憶するための第２のフィールドを含む、確認応答（ＡＣＫ）フレームを備える、Ｃ１５に記載の第１のワイヤレスデバイス。
[Ｃ１８]  前記応答フレームが、前記ＳＩＦＳ情報を記憶するための少なくともフィールドを含む情報要素（ＩＥ）を含む、Ｃ１１に記載の第１のワイヤレスデバイス。
[Ｃ１９]  前記第１のワイヤレスデバイスが、前記第２のワイヤレスデバイスに前記データフレームを送るために単一の送信チェーンを使用すべきであり、
前記データフレームは、前記第２のワイヤレスデバイスに対する、前記第１のワイヤレスデバイスに前記応答フレームを送信するために単一の送信チェーンを使用するようにとの要求をさらに備える、Ｃ１１に記載の第１のワイヤレスデバイス。
[Ｃ２０]  第２のワイヤレスデバイスとの測距演算を行うように構成された第１のワイヤレスデバイスであって、前記第１のワイヤレスデバイスは、
前記第２のワイヤレスデバイスに対する、それの実際のショートフレーム間スペース（ＳＩＦＳ）持続時間を前記第１のワイヤレスデバイスに報告するようにとの要求を含むデータフレームを前記第２のワイヤレスデバイスに送るための手段と、
前記データフレームの出発時間（ＴＯＤ）を決定するための手段と、
前記第２のワイヤレスデバイスから、前記第２のワイヤレスデバイスの前記実際のＳＩＦＳ持続時間を示すＳＩＦＳ情報を含む応答フレームを受信するための手段と、
前記応答フレームの到着時間（ＴＯＡ）を決定するための手段と、
前記データフレームの前記ＴＯＤと前記応答フレームの前記ＴＯＡと前記第２のワイヤレスデバイスの前記実際のＳＩＦＳ持続時間とを使用して、前記データフレームと前記応答フレームとのラウンドトリップ時間（ＲＴＴ）を決定するための手段とを備える、第１のワイヤレスデバイス。
[Ｃ２１]  前記データフレームがファインタイミング測定（ＦＴＭ）フレームを備える、Ｃ２０に記載の第１のワイヤレスデバイス。
[Ｃ２２]  前記応答フレームが、前記ＳＩＦＳ情報を記憶するためのフィールドを含む確認応答（ＡＣＫ）フレームを備える、Ｃ２０に記載の第１のワイヤレスデバイス。
[Ｃ２３]  前記ＳＩＦＳ情報が、前記実際のＳＩＦＳ持続時間と標準ＳＩＦＳ持続時間との間の時間差を示す差分値を備える、Ｃ２０に記載の第１のワイヤレスデバイス。
[Ｃ２４]  前記応答フレームが、前記差分値を記憶するための第１のフィールドを含み、前記第２のワイヤレスデバイスの中央ＳＩＦＳ持続時間を記憶するための第２のフィールドを含む、確認応答（ＡＣＫ）フレームを備える、Ｃ２３に記載の第１のワイヤレスデバイス。
[Ｃ２５]  前記応答フレームが、前記ＳＩＦＳ情報を記憶するための少なくともフィールドを含む情報要素（ＩＥ）を含む、Ｃ２０に記載の第１のワイヤレスデバイス。
[Ｃ２６]  第１のワイヤレスデバイスの１つまたは複数のプロセッサによって実行されたとき、前記第１のワイヤレスデバイスに、
第２のワイヤレスデバイスに対する、それの実際のショートフレーム間スペース（ＳＩＦＳ）持続時間を前記第１のワイヤレスデバイスに報告するようにとの要求を含むデータフレームを前記第２のワイヤレスデバイスに送ることと、
前記データフレームの出発時間（ＴＯＤ）を決定することと、
前記第２のワイヤレスデバイスから、前記第２のワイヤレスデバイスの前記実際のＳＩＦＳ持続時間を示すＳＩＦＳ情報を含む応答フレームを受信することと、
前記応答フレームの到着時間（ＴＯＡ）を決定することと、
前記データフレームの前記ＴＯＤと前記応答フレームの前記ＴＯＡと前記第２のワイヤレスデバイスの前記実際のＳＩＦＳ持続時間とを使用して、前記データフレームと前記応答フレームとのラウンドトリップ時間（ＲＴＴ）を決定することとを備える動作を行わせる命令を含んでいる１つまたは複数のプログラムを記憶する非一時的コンピュータ可読記憶媒体。
[Ｃ２７]  前記データフレームがファインタイミング測定（ＦＴＭ）フレームを備える、Ｃ２６に記載の非一時的コンピュータ可読記憶媒体。
[Ｃ２８]  前記応答フレームが、前記ＳＩＦＳ情報を記憶するためのフィールドを含む確認応答（ＡＣＫ）フレームを備える、Ｃ２６に記載の非一時的コンピュータ可読記憶媒体。
[Ｃ２９]  前記ＳＩＦＳ情報が、前記実際のＳＩＦＳ持続時間と標準ＳＩＦＳ持続時間との間の時間差を示す差分値を備える、Ｃ２６に記載の非一時的コンピュータ可読記憶媒体。
[Ｃ３０]  前記応答フレームが、前記差分値を記憶するための第１のフィールドを含み、前記第２のワイヤレスデバイスの中央ＳＩＦＳ持続時間を記憶するための第２のフィールドを含む、確認応答（ＡＣＫ）フレームを備える、Ｃ２９に記載の非一時的コンピュータ可読記憶媒体。